(57)【要約】【課題】  画像処理に関する設定条件を必要なときに簡便に設定できる画像処理装置を提供することを目的とする。【構成】  本発明は、画像処理装置の設定情報を格納して情報の近距離無線による送信が可能なタグから前記設定情報の受信を行う画像処理装置であって、通信可能なタグから前記設定情報を受信する設定情報受信手段と、前記設定情報受信手段によって受信された設定情報を記憶する設定情報記憶手段と、前記設定情報記憶手段に記憶された前記設定情報を呼び出し画像処理に関する設定条件を設定する条件設定手段とを備えることを特徴とする画像処理装置。【選択図】図４
2005231210.tif 000002
【特許請求の範囲】
【請求項１】
画像処理装置の設定情報を格納して情報の近距離無線による送信が可能なタグから前記設定情報の受信を行う画像処理装置であって、
通信可能なタグから前記設定情報を受信する設定情報受信手段と、
前記設定情報受信手段によって受信された設定情報を記憶する設定情報記憶手段と、前記設定情報記憶手段に記憶された前記設定情報を呼び出し画像処理に関する設定条件を設定する条件設定手段とを備えることを特徴とする画像処理装置。
【請求項２】
前記設定情報を表示して外部からの操作を受け付けて前記設定情報を変更可能な操作表示手段を備え、
前記条件設定手段は、前記操作表示手段によって変更された設定条件を設定することを特徴とする請求項１に記載の画像処理装置。
【請求項３】
前記設定情報を前記タグに送信する設定情報送信手段を備え、
前記タグは、情報の無線による受信が可能であり、前記設定情報送信手段から前記設定情報が受信された場合に、格納されている設定情報を受信された設定情報に更新することを特徴とする請求項１〜２のいずれかに記載の画像処理装置。
【発明の詳細な説明】
【技術分野】
【０００１】
本発明は、ユーザによって携帯され、画像処理装置の設定情報等を格納して情報の近距離無線による送信が可能なタグから前記設定情報等の受信を行う画像処理装置に関するものである。
【背景技術】
【０００２】
近年のディジタル複写機等にあっては、機能が充実して種々の設定が可能となっている。
このため、設定画面が複雑となり、設定画面の画面構成が多層構造となっていることが多く、ユーザの所望する内容を設定する操作が分かり難く、且つ、煩雑さが有る。特にコピー、プリンタ、スキャナ、ＦＡＸ機能等が備えられた複合機になれば、その設定もより複雑となる。
【０００３】
そこで、ＩＣカード等の可搬型外部記憶媒体に画像形成情報を予め格納しておき、可搬型外部記憶媒体を画像形成装置の読み取り装置に挿入して、画像形成情報を読み取る方法が提案されている（特許文献１参照）。
【特許文献１】特開平０２−１２１５６５号公報
【発明の開示】
【発明が解決しようとする課題】
【０００４】
しかし、上記の画像形成装置では、可搬型外部記憶媒体を画像形成装置に配設された読み取り装置に挿入する必要があるため、多数のユーザが１台の画像形成装置を共用する場合には、各ユーザは画像形成情報が格納された可搬型外部記憶媒体を持参して自分のデスク等から画像形成装置の配設されている場所に移動するが、移動後に可搬型外部記憶媒体を持参することを忘れたことに気付くと、再び自分のデスク等に戻って可搬型外部記憶媒体を取りに行く必要がある。また、可搬型外部記憶媒体を画像形成装置に配設された読み取り装置に挿入すること自体が煩わしいという問題がある。
【０００５】
本発明は、上記課題に鑑みてなされたもので、設定条件を必要なときに簡便に設定できる画像処理装置を提供することを目的とするものである。
【課題を解決するための手段】
【０００６】
請求項１に記載の画像処理装置は、画像処理装置の設定情報を格納して情報の近距離無線による送信が可能なタグから前記設定情報の受信を行う画像処理装置であって、通信可能なタグから前記設定情報を受信する設定情報受信手段と、前記設定情報受信手段によって受信された設定情報を記憶する設定情報記憶手段と、前記設定情報記憶手段に記憶された前記設定情報を呼び出し画像処理に関する設定条件を設定する条件設定手段とを備えることを特徴としている。
【０００７】
上記の構成によれば、設定情報受信手段によって、通信可能なタグから画像処理装置の設定情報が受信され、条件設定手段によって、設定情報受信手段により必要なときに受信された設定情報を用いて画像処理に関する設定条件が設定される。
【０００８】
従って、タグから受信された設定情報を用いて画像処理に関する設定条件が設定されるため、設定条件が簡便に設定される。
【０００９】
請求項２に記載の画像処理装置は、前記設定情報を表示して外部からの操作を受け付けて前記設定情報を変更可能な操作表示手段を備え、前記条件設定手段が、前記操作表示手段によって変更された設定条件を設定することを特徴としている。
【００１０】
上記の構成によれば、操作表示手段によって、画像処理装置の設定情報が表示されて外部からの操作が受け付けられて設定情報が変更され、条件設定手段によって、操作表示手段により変更された設定条件が設定される。
【００１１】
従って、画像処理装置の設定情報が表示されて外部からの操作が受け付けられて設定情報が変更されるため、タグから受信された設定情報に基づく設定条件がユーザの所望する設定条件に変更され得る。
【００１２】
請求項３に記載の画像処理装置は、前記設定情報を前記タグに送信する設定情報送信手段を備え、前記タグが、情報の無線による受信が可能であり、前記設定情報送信手段から前記設定情報が受信された場合に、格納されている設定情報を受信された設定情報に更新することを特徴としている。
【００１３】
上記の構成によれば、設定情報送信手段によって、画像処理装置の設定情報がタグに送信され、タグは、情報の無線による受信が可能であり、設定情報送信手段から設定情報が
受信された場合に、格納されている設定情報が受信された設定情報に更新される。
【００１４】
従って、タグに格納されている設定情報が受信された設定情報に更新されるため、タグに格納されている設定情報を容易に更新することが可能となる。
【発明の効果】
【００１５】
請求項１に記載の発明によれば、タグから受信された設定情報を用いて必要なときに画像処理に関する設定条件が設定される構成としたため、設定条件を簡便に設定できる。
【００１６】
請求項２に記載の発明によれば、画像処理装置の設定情報が表示されて外部からの操作が受け付けられて設定情報が変更される構成としたため、タグから受信された設定情報に基づく設定条件をユーザの所望する設定条件に変更できる。
【００１７】
請求項３に記載の発明によれば、タグに格納されている設定情報が受信された設定情報に更新される構成としたため、タグに格納されている設定情報を容易に更新することができる。
【発明を実施するための最良の形態】
【００１８】
本実施形態においては、画像処理装置が、複写機、ファクシミリ、スキャナ及びプリンタの機能を有する複合機である場合について説明する。図１は、本発明に係る複合機と他の装置との接続状態を説明する説明図の一例である。
【００１９】
複合機１は、公衆電話回線２１を介して複数のファクシミリ２と通信可能に接続されている。また、複合機１は、ＬＡＮ（ｌｏｃａｌ  ａｒｅａ  ｎｅｔｗｏｒｋ）４１を介して複数のクライアント端末装置４と通信可能に接続されている。複合機１がファクシミリとして機能する場合には、複合機１は、公衆電話回線２１を介して複数のファクシミリ２と画像データの通信を行い、画像データを送信する際には、後述するスキャナ１２（図２参照）から原稿の画像データを読み込み、後述するファクシミリ通信部１８（図２参照）及び公衆電話回線２１を介して画像データをファクシミリ２に送信し、画像データを受信する際には、ファクシミリ２からの画像データをファクシミリ通信部１８及び公衆電話回線２１を介して受信し、後述するプリンタ部１３によって記録用紙上に画像を形成するものである。
【００２０】
複合機１がスキャナとして機能する場合には、複合機１は、ＬＡＮ４１を介してクライアント端末装置４と画像データの通信を行い、画像データを送信する際には、後述するスキャナ１２（図２参照）から原稿の画像データを読み込み、後述するインターフェイス部１９（図２参照）を介して画像データをクライアント端末装置４に送信するものである。
【００２１】
複合機１がプリンタとして機能する場合には、複合機１は、ＬＡＮ４１を介してクライアント端末装置４から画像データの受信し、後述するプリンタ部１３（図２参照）によって記録用紙上に画像を形成するものである。なお、複合機１が複写機として機能する場合には、複合機１は、後述するスキャナ１２（図２参照）から原稿の画像データを読み込み、後述するプリンタ部１３によって記録用紙上に画像を形成するものである。
【００２２】
図２は、複合機１の構成図の一例である。複合機１は、複合機１全体の動作を制御する制御部１１と、原稿に印刷（又は記載）された画像を読み取り画像データを形成するスキャナ部１２と、画像データから画像を記録用紙に形成するプリンタ部１３と、タッチパネル等からなりユーザの操作を受け付ける操作部１４（操作表示手段の一部に相当する）と、ＬＣＤ（ｌｉｑｕｉｄ  ｃｒｙｓｔａｌ  ｄｉｓｐｌａｙ）等からなり操作のガイダンス情報等を表示する表示部１５（操作表示手段の一部に相当する）と、ユーザの複合機１の設定情報が格納されたタグ５（図３参照）と通信してタグ５に格納された情報の読み取り及び書き込みを行うリーダライタ部１６（タグ検出手段、識別情報受信手段、設定情報受信手段及び設定情報送信手段の一部に相当する）と、画像データを格納する画像メモリ１７と、ファクシミリ２との画像データの送受信処理を行うファクシミリ通信部１８と、クライアント端末装置３との画像データの送受信処理を行うインターフェイス部１９とを備えている。
【００２３】
制御部１１は、ＣＰＵ（ｃｅｎｔｒａｌ  ｐｒｏｃｅｓｓｉｎｇ  ｕｎｉｔ）、表示部１５に表示される各種の画像情報及び制御プログラム等を格納するＲＯＭ（ｒｅａｄ  ｏｎｌｙ  ｍｅｍｏｒｙ）、処理データを一時的に格納するＲＡＭ（ｒａｎｄｏｍ  ａｃｃｅｓｓ  ｍｅｍｏｒｙ）等を備え、操作部１４からユーザの操作情報を受け付けて複合機１全体の動作を制御するものである。
【００２４】
スキャナ部１２は、原稿載置部（図示省略）にセットされた原稿を読み取り、ライン単位で画像信号に変換し、この画像信号に所定の信号処理（レベル補正、γ補正、Ａ／Ｄ変換等）を施して、順位制御部１１に出力することによって、スキャナ機能を発揮するものである。
【００２５】
プリンタ部１３は、画像データを記録用紙にプリントアウトすることによってプリンタ機能（又はコピー機能）を発揮するものである。このプリンタ部１３は、例えば、レーザプリンタ等からなり、画像データで変調されたレーザ光を感光体に照射して当該画像データからなる画像の潜像を形成するとともに、この潜像にトナーを静電的に付着して顕在化し、この顕像を記録用紙に転写して画像を形成するものである。
【００２６】
操作部１４は、例えば、タッチパネル等からなり、ユーザの操作を受け付けるものである。このタッチパネルは公知の物が採用可能である。例えば、タッチパネルは、長方形状をした薄層体で、縦横にそれぞれ所定ピッチで線状の透明材からなる感圧素材を配列したものを透明カバーで被覆する等により構成されたもので、表示部１５の上面に貼付されている。そして、タッチパネルは表示部１５の画面に表示される選択などを促すボタンのアドレスと押圧位置とからいずれのボタンが指示されたかが判定し得るようにしている。
【００２７】
表示部１５は、ＬＣＤ及びＬＥＤ（Ｌｉｇｈｔ  Ｅｍｉｔｔｅｄ  Ｄｉｏｄｅ）等から構成され、公衆電話回線２１の接続状態、画像情報等の送受信状態等の各種状態や画像データの送信先の情報等を文字情報、画像情報でＬＣＤに表示するとともに、通信エラーの有無及びメンテナンスの要否等をＬＥＤに表示するものである。
【００２８】
リーダライタ部１６は、後述するアンテナ１６ｇを備え、ユーザの複合機１の設定情報が格納されたタグ５（図３参照）と近距離無線により通信し、タグ５に格納された情報の読み取り及び書き込みを行うものである。なお、タグ５及びリーダライタ部１６の詳細については、図３を用いて後述する。
【００２９】
画像メモリ１７は、画像データ等を格納するものであって、例えば、Ａ４サイズの標準原稿に対応する画像データを略１００枚程度記憶することができる大容量メモリである。
【００３０】
ファクシミリ通信部１８は、複合機１がファクシミリとして機能する場合に、公衆電話回線２１を介してファクシミリ２と画像データの送受信処理を行うものであって、符号化／復号化部１８１、変復調部１８２及び網制御部１８３を備えている。符号化／復号化部１８１は、送信すべき画像データの圧縮及び符号化を行うとともに、受信した画像データの伸長及び復号化を行うものである。変復調部１８２は、圧縮／符号化された画像データの音声信号への変調及び受信した信号（音声信号）の画像データへの復調を行うものである。網制御部１８３は、ＮＣＵ（Ｎｅｔｗｏｒｋ  Ｃｏｎｔｒｏｌ  Ｕｎｉｔ）に相当し、送受信相手であるファクシミリ２との公衆電話回線２１の接続を制御するものである。
【００３１】
インターフェイス部１９は、複合機１がスキャナ、プリンタとして機能する場合に、クライアント端末装置３との画像データの送受信処理を行うものである。
【００３２】
図３は、タグ５及びリーダライタ部１６の構成図の一例である。タグ５は、ユーザの複合機１の設定情報を格納するＩＣメモリ等からなるメモリ５１と、リーダライタ部１６から各種の情報を送受信すると共にリーダライタ部１６（アンテナ１６ｇ）から電波の高周波電力を受信するループアンテナ等からなるアンテナ５２とを備えている。なお、タグ５は、ユーザに携帯されるものであり、例えば、メモリ５１とアンテナ５２とが略長方形のプラスチックの基板に埋め込まれたカード型である。また、タグ５の動作（各種情報の読出し及び書き込み）に必要な電力は、リーダライタ部１６から電力信号として送信される信号を用いて供給される。
【００３３】
リーダライタ部１６は、制御部１１とデータの授受を行うと共にリーダライタ部１６各部の制御を行うリーダライタ制御部１６ａと、リーダライタ制御部１６ａからのディジタル信号をアナログ信号に変換するＤ／Ａ変換部１６１ｂと、Ｄ／Ａ変換部１６１ｂからの出力を変調する変調部１６ｃと、変調部１６ｃからの出力を増幅するアンプ１６ｄと、アンプ１６ｄからの出力の内所定の周波数（ここでは、１３．５６ＭＨｚ）以外の周波数の信号を除去するフィルタ１６ｅと、アンテナ１６ｇとのインピーダンス整合をとるマッチング部１６ｆと、各種信号の送受信を行うループアンテナ等からなるアンテナ１６ｇと、アンテナ１６ｇで受信された信号を復調する復調部１６ｈと、復調部１６ｈからのアナログ信号をディジタル信号に変換するＡ／Ｄ変換部１６ｉとを備えている。
【００３４】
なお、タグ５とリーダライタ部１６との間の通信は、例えば、１３．５６ＭＨｚの電磁波によって行われ、タグ５のアンテナ５２とリーダライタ部１６のアンテナ１６ｇとの間の誘導磁束による誘導電圧によって行われる。また、タグ５とリーダライタ部１６との間の通信は、主に、受信信号レベルの点から両者の距離が所定の距離（例えば、１ｍ）以内である場合に可能である（ここでは、このように近距離でのみ可能な通信を近距離通信という）。
【００３５】
図４は、複合機１における本発明の要部の機能構成図の一例である。タグ５のメモリ５１は、ユーザの識別情報を格納する識別情報記憶部５１ａと、複合機１の設定情報を格納する設定情報記憶部５１ｂとを備えている。
【００３６】
制御部１１は、リーダライタ部１６を介して通信可能なタグ５を検出するタグ検出部１１ａ（設定情報受信手段の一部に相当する）と、タグ検出部１１ａによって検出された通信可能なタグ５のメモリ５１の識別情報記憶部５１ａからリーダライタ部１６を介して識別情報を受信する識別情報受信部１１ｂと、タグ検出部１１ａによって検出された通信可能なタグ５のメモリ５１の設定情報記憶部５１ｂからリーダライタ部１６を介して設定情報を受信する設定情報受信部１１ｃ（設定情報受信手段の一部に相当する）と、設定情報受信部１１ｃによって受信された設定情報を格納する設定情報記憶部１１ｄ（設定情報記憶手段に相当する）と、操作表示部１１ｆによって受け付けられた選択情報に基づいて対応する設定情報を設定情報記憶部１１ｄから読み出してリーダライタ部１６を介してタグ５に送信する設定情報送信部１１ｅ（設定情報送信手段の一部に相当する）とを備えている。
【００３７】
更に、制御部１１は、操作部１４を介して外部からの操作を受け付けて各機能部に操作指令情報を伝送すると共に各機能部から授受の情報を受け付けて各種情報を表示部１５に表示する操作表示制御部１１ｆ（操作表示手段の一部に相当する）と、設定情報受信部１１ｃによって受け付けられた設定情報及び操作表示制御部１１ｆによって受け付けられた操作情報に従って各種装置の設定条件を設定する条件設定部１１ｇ（条件設定手段の一部に相当する）と、複合機１がファクシミリとして機能する場合の設定条件を設定するファクシミリ制御部１１ｈ（条件設定手段の一部に相当する）と、複合機１がスキャナとして機能する場合の設定条件を設定するスキャナ制御部１１ｉ（条件設定手段の一部に相当する）と、複合機１がネットワークプリンタとして機能する場合の設定条件を設定するプリンタ制御部１１ｊ（条件設定手段の一部に相当する）と、複合機１が複写機として機能する場合の設定条件を設定するコピー制御部１１ｋ（条件設定手段の一部に相当する）とを備えている。
【００３８】
識別情報記憶部５１ａは、ユーザの識別情報を格納するものであって、識別情報はいわゆるユーザＩＤであり、例えば、英数字８桁で構成されている。この識別情報記憶部５１ａに格納された識別情報をパスワード等で書き換えが保護されており、特定のユーザ（例えば、複合機１のメンテナンス責任者）のみが書き換え可能に構成されている。設定情報記憶部５１ｂは、複合機１の設定情報を格納するものであって、複合機１の複写機としての設定条件を格納する領域（以下、複写機領域という）と、複合機１のファクシミリとしての設定条件を格納する領域（以下、ファクシミリ領域という）と、複合機１のスキャナとしての設定条件を格納する領域（以下、スキャナ領域という）と、複合機１のプリンタとしての設定条件を格納する領域（以下、プリンタ領域という）とが設けられている。また、設定情報記憶部５１ｂは、設定情報送信部１１ｅから設定情報を受け付けて対応する領域に格納するものである。例えば、設定情報送信部１１ｅから複写機としての設定情報を受け付けた場合には、複合機１の複写機としての設定条件を格納する領域に格納される。
【００３９】
タグ検出部１１ａは、リーダライタ部１６を介して通信可能なタグ５を検出するものであって、リーダライタ部１６と通信可能な位置（例えば、リーダライタ部１６から１ｍ以内の範囲内）にあるタグ５を受信信号レベル等から検出するものである。識別情報受信部１１ｂは、タグ検出部１１ａによって検出された通信可能なタグ５のメモリ５１の識別情報記憶部５１ａからリーダライタ部１６を介して識別情報を受信して、設定情報記憶部１１ｃに識別情報を出力するものである。設定情報受信部１１ｃは、タグ検出部１１ａによって検出された通信可能なタグ５のメモリ５１の設定情報記憶部５１ｂからリーダライタ部１６を介して設定情報を受信して、設定情報記憶部１１ｃに設定情報を出力するものである。
【００４０】
設定情報記憶部１１ｄは、設定情報受信部１１ｃによって受信された設定情報を格納するものであって、操作部１４の支持によって、操作表示制御部１１ｆにより表示部１５に設定情報を表示する。また、操作部１４によって設定された設定情報を操作表示制御部より取得し、設定情報記憶部１１ｄに記憶し、設定情報受信部１１ｃによって受信された設定情報と比較し、もし同一の設定情報のものが過去の履歴にあれば削除し、無ければ古い履歴から削除する（更新的に記憶する）ものである。設定された設定情報を操作表示制御部より取得するタイミングは、その設定が確定し、複合機１の処理動作が開始されたときとする。
【００４１】
設定情報送信部１１ｅは、操作表示制御部１１ｆによって受け付けられた選択情報に基づいて前記更新された設定情報を設定情報記憶部１１ｄから読み出してリーダライタ部１６を介してタグ５に送信するものである。例えば、操作部１４によってユーザから設定条件の変更入力が入力された場合に、変更後の更新された設定情報をリーダライタ部１６を介してユーザの携帯しているタグ５に送信して、タグ５の設定情報記憶部５１ｂに更新的に格納される。
【００４２】
操作表示制御部１１ｆは、操作部１４を介して外部からの操作を受け付けて各機能部に操作指令情報を伝送すると共に各機能部から授受の情報を受け付けて各種情報を表示部１５に表示するものである。条件設定部１１ｇは、操作表示制御部１１ｆによって受け付けられた操作情報に従って各種装置の設定条件を、ファクシミリ制御部１１ｈ、スキャナ制御部１１ｉ、プリンタ制御部１１ｊ、コピー制御部１１ｋ（これら、４つの制御部を総称して機能実行制御部という）を介して設定するものである。具体的には、操作情報からユーザが複合機１の有するファクシミリ機能、スキャナ機能、プリンタ機能及び複写機機能のどの機能を使用するのかを判別して、ファクシミリ制御部１１ｈ、スキャナ制御部１１ｉ、プリンタ制御部１１ｊ及びコピー制御部１１ｋの内、対応する制御部に対して設定情報を出力するものである。
【００４３】
特に、条件設定部１１ｇは、操作表示制御部１１ｆによって受け付けられた操作情報によって複合機１がファクシミリとして使用されると判定された場合には、ファクシミリ制御部１１ｈは、複合機１がファクシミリとして機能する場合の設定条件を条件設定部１１ｇから受け付けて各装置に設定するものである。スキャナ制御部１１ｉは、複合機１がスキャナとして機能する場合の設定条件を条件設定部１１ｇから受け付けて各装置に設定するものである。プリンタ制御部１１ｊは、複合機１がプリンタとして機能する場合の設定条件を条件設定部１１ｇから受け付けて各装置に設定するものである。コピー制御部１１ｋは、複合機１が複写機として機能する場合の設定条件を条件設定部１１ｇから受け付けて各装置に設定するものである。
【００４４】
図５は、複写機１（主に制御部１１）の動作を説明するフローチャートの一例である。まず、タグ検出部１１ａによって、通信可能なタグ５の有無が判定される（ステップＳ１）。通信可能なタグ５が無いと判定された場合（ステップＳ１でＮＯ）には、通信可能なタグ５が有ると判定されるまで待機状態とされる。通信可能なタグ５が有ると判定された場合（ステップＳ１でＹＥＳ）には、識別情報受信部１１ｂによって、タグ５から識別情報が受け付けられる（ステップＳ３）。そして、設定情報受信部１１ｃによって、タグ５から設定情報が受け付けられる（ステップＳ５）。なお、タグを持った他のユーザが後に複写機１に現れても、先に通信を確立したタグが優先され、先のタグが通信可能な距離から離れるまでは、他のタグの検出は行わない。
【００４５】
次いで、設定情報記憶部１１ｄによって、設定情報がタグ５の設定情報記憶部５１ｂから読み出されて、設定情報受信部１１ｃにより受信された設定情報が設定情報記憶部１１ｄに格納される（ステップＳ７）。
【００４６】
設定情報が設定情報記憶部１１ｄに格納されると、操作表示制御部１１ｆによって表示部１５に設定情報が表示される（ステップＳ９）。図６は、操作部１４及び表示部１５に表示される画面の画面図の一例である。操作部１４には、複合機１を複写機、ファクシミリ、スキャナ及びプリンタとして機能させる場合にユーザによって押下されるファックスボタン６０１、スキャナボタン６０２、プリンタボタン６０３及びコピーボタン６０４が表示されている。
【００４７】
ユーザは、前記表示されたボタンの内、実行を所望する機能に対応するボタン（例えば、ファクシミリ機能を使用したい場合には、ファックスボタン６０１）を押下することによって、複合機１を複写機、ファクシミリ、スキャナ及びプリンタの内、所望する機能として使用することができる。図６に示す画面ではコピーボタン６０４が押下された場合に表示部１５に表示されるコピー条件設定画面の画面図の一例であり、コピーボタン６０４の選択後に表示される画面である。この基本画面の下部には、基本画面を示す「基本」タブ６１０の他に、「機能」タブ６１１、「履歴設定１」タブ６１２、「履歴設定２」タブ６１３及び「履歴設定３」タブ６１４の各タブが表示されている。
【００４８】
前記基本画面には、「用紙選択」機能で「自動用紙」が設定され、「縮小／拡大」機能で「１００％」が設定され、「コピー濃度」機能で「自動濃度」が設定され、「ソート／仕分け」機能で「ソートしない」が設定された状態を示している。また、この基本画面において、「縮小／拡大」、「ソート／仕上げ」の各キーを押すと、各機能に対応する詳細事項を設定するための画面が表示されるようになっている。
前記「機能」タブ６１１を押すと、「集約」、「ページ印字」、「フォーム合成」、「とじしろ
／画像移動」、「枠消し」、「週刊誌とじ」、「製本」等の各種機能設定を選択する画面が表示され（図示せず）、なお、これら各機能を選択すると、各機能に対応する詳細事項を設定するための画面が表示されるようになっている。例えば、「集約」の機能を選択すると、「２
イン１」または、「４イン１」等の選択キーが表示され、集約の詳細設定が完了する。この状態でスタートキー６３０を押せば、各機能選択キーで選択された条件にしたがって複写が行われる。
【００４９】
前記「履歴設定１」タブ６１２、「履歴設定２」タブ６１３及び「履歴設定３」タブ６１４を選択すると、タグ５の設定情報記憶部５１ｂから読み出されて、設定情報記憶部１１ｄに格納されている、過去の設定情報が表示される。この例では、過去３回の履歴が表示可能となっているが、特に回数は限定されない。「履歴設定１」タブ６１２を選択したときの表示を図７に示す。この例では、履歴の最新の順番から、「履歴設定１」、「履歴設定２」、「履歴設定３」と対応するものとする。「履歴設定１」の設定は、自動用紙選択で、片面原稿を両面コピーし、濃度は手動で設定され、ソートを行い仕上げとしてステープル処理を行う設定となっている。
【００５０】
そして、操作表示制御部１１ｆによって操作部１４を介してユーザからの各種の操作情報が受け付けられる（ステップＳ１１）。ここで、履歴設定画面から、各設定の変更を行うことももちろん可能である。
【００５１】
次に、操作表示制御部１１ｆによって、操作部１４を介して、例えばスタートキー６３０が押され、ユーザからの処理実行指示操作（例えば、複合機１がファクシミリとして機能する場合には、画像データの送信を指示する操作であり、複合機１が複写機として機能する場合には、コピーの実行を指示する操作である）が受け付けられたか否かの判定が行われる（ステップＳ１３）。処理実行指示操作が受け付けられると（ステップＳ１３でＹＥＳ）、設定情報が確定され（ステップＳ１５）、条件設定部１１ｇからファクシミリ制御部１１ｈ、スキャナ制御部１１ｉ、プリンタ制御部１１ｊ、コピー制御部１１ｋの内、操作表示制御部１１ｆによって受け付けられた操作情報により指示された処理を実行する機能実行制御部へ設定情報が出力され、機能実行制御部によって、各装置に設定情報が設定され、処理が実行される（ステップＳ２７）。
【００５２】
また、設定情報が確定され（ステップＳ１５）ると、確定された設定条件と、設定情報記憶部１１ｄに記憶されている履歴情報が比較され、履歴内に同一の設定条件があるかどうかが判定され、同一の設定条件の履歴があるばあいは（ステップＳ１７のＹＥＳ）、その同一の履歴のみを削除し、現在の設定条件を最新の履歴として設定情報記憶部１１ｄに格納する（ステップＳ２１）。もし、同一の設定条件が無いときは（ステップＳ１７のＮＯ）、一番古い履歴を削除し（ステップＳ２５）、現在の設定条件を最新の履歴として設定情報記憶部１１ｄに格納する（ステップＳ２１）。
【００５３】
そして、設定情報送信部１１ｅによって、リーダライタ部１６を介してタグ５に設定情報が送信される（ステップＳ２３）。
【００５４】
このようにして、ユーザによって携帯されたタグ５から受信された設定情報の履歴を表示して、必要に応じてこの履歴情報を利用して、各種の設定条件が設定されるため、設定条件が簡便に設定される。また、複合機１の設定情報が表示されて外部からの操作が受け付けられて設定情報が変更されるため、タグ５から受信された設定情報に基づく設定条件がユーザの所望する設定条件に変更され得る。また、タグ５に格納されている設定情報が設定情報送信部１１ｅから送信された設定情報に更新されるため、タグ５に格納されている設定情報を容易に更新することが可能となる。
【００５５】
なお、本発明は、以下の形態にも適用可能である。
【００５６】
（Ａ）本実施形態では、画像処理装置が複写機、ファクシミリ、スキャナ及びプリンタの機能を有する複合機である場合について説明したが、複写機、ファクシミリ、スキャナ及びプリンタの内、少なくともいずれか１つの機能を有する画像処理装置である形態でもよい。
【００５７】
（Ｂ）本実施形態では、タグ５が識別情報記憶部５１ａ及び設定情報記憶部５１ｂを備える場合について説明したが、タグ５が設定情報記憶部５１ｂのみ備える形態でもよい。      
【００５８】
（Ｃ）本実施形態では、タグ５がカード型である場合について説明したが、ユーザによる携帯が可能な形態であればよい。例えば、フィルム型、コイン型等の形態でもよい。
【００５９】
（Ｄ）本実施形態では、リーダライタ部１６からタグ５に電力を供給する場合について説明したが、タグ５が電池等の電源を備える形態でもよい。
【図面の簡単な説明】
【００６０】
【図１】本発明に係る画像修理装置（複合機）と他の装置との接続状態を説明する説明図の一例である。
【図２】複合機の構成図の一例である。
【図３】タグ及びリーダライタ部の構成図の一例である。
【図４】複合機における本発明の要部の機能構成図の一例である。
【図５】複写機（主に制御部）の動作を説明するフローチャートの一例である。
【図６】表示部に表示される処理選択画面の画面図の一例である。
【図７】図６に示す処理選択画面の履歴設定１のタブが押下された場合に表示部に表示されるコピー条件設定画面の画面図の一例である。
【符号の説明】
【００６１】
１  複合機
１１  制御部
１１ａ  タグ検出部（識別情報受信手段、設定情報受信手段の一部）
１１ｂ  識別情報受信部
１１ｃ  設定情報受信部（設定情報受信手段の一部）
１１ｄ  設定情報記憶部（設定情報記憶手段）
１１ｅ  設定情報送信部（設定情報送信手段の一部）
１１ｆ  操作表示制御部（操作表示手段の一部）
１１ｇ  条件設定部（条件設定手段の一部）
１１ｈ  ファクシミリ制御部（条件設定手段の一部）
１１ｉ  スキャナ制御部（条件設定手段の一部）
１１ｊ  プリンタ制御部（条件設定手段の一部）
１１ｋ  コピー制御部（条件設定手段の一部）
１４  操作部（操作表示手段の一部）
１５  表示部（操作表示手段の一部）
１６  リーダライタ部（設定情報受信手段及び設定情報送信手段の一部）
２  ファクシミリ
３  クライアント端末装置
５  タグ
５１  メモリ
５１ａ  識別情報記憶部
５１ｂ  設定情報記憶部
【図１】
2005231210.tif 000003
【図２】
2005231210.tif 000004
【図３】
2005231210.tif 000005
【図４】
2005231210.tif 000006
【図５】
2005231210.tif 000007
【図６】
2005231210.tif 000008
【図７】
2005231210.tif 000009